(57)【要約】【課題】簡単な構造で種類の異なるディスクを搭載できるとともに、薄型に構成できるディスク駆動装置を提供する。【解決手段】本発明のディスク駆動装置１１は、本体１２、ディスクトレイ１５、およびモータユニット２５を具備する。ディスクトレイ１５は、カートリッジ型ディスク１３が載置される第１の載置部５１と、裸のディスク１４が載置される第２の載置部５２と、を有する。第２の載置部５２は、第１の載置部５１よりもモータユニット２５に寄った位置に配置される。モータユニット２５は、カートリッジ型ディスク１３と係合する第１の位置Ｐ１と、第２の載置部５２に載置された裸のディスク１４から外れた第２の位置Ｐ２と、の間で進退可能である。カートリッジ型ディスク１３は、カートリッジ６１と、カートリッジ６１に内蔵されるディスク本体６２と、を有する。ディスク本体６２は、カートリッジ６１の高さ方向においてモータユニット２５に寄った位置に配置される。【選択図】図８
2008243334.tif 000002
【特許請求の範囲】
【請求項１】
カートリッジ型ディスクおよび裸のディスクをそれぞれ載置可能なディスクトレイを含んだディスク駆動装置であって、
本体と、
前記本体に対して前方向および後方向に移動できる前記ディスクトレイと、
前記ディスクトレイに載置されるカートリッジ型ディスクと、
前記カートリッジ型ディスクに対して、前記ディスクトレイを間に挟んだ反対側の位置で前記本体に設けられるとともに、前記カートリッジ型ディスクおよび前記裸のディスクを回転できるモータユニットと、
を具備し、
前記ディスクトレイは、前記カートリッジ型ディスクが載置される第１の載置部と、前記裸のディスクが載置される第２の載置部と、を有するとともに、前記第２の載置部は、前記第１の載置部よりも前記モータユニットに寄った位置に配置され、
前記モータユニットは、前記第１の載置部に載置された前記カートリッジ型ディスクと係合する第１の位置と、前記第２の載置部に載置された前記裸のディスクから外れた第２の位置と、の間で進退可能であり、
前記カートリッジ型ディスクは、
前記カートリッジと、
前記カートリッジに内蔵されるディスク本体と、
を有し、
前記ディスク本体は、前記カートリッジの高さ方向において前記モータユニットに寄った位置に配置されることを特徴とするディスク駆動装置。
【請求項２】
前記第１の載置部は、前記第２の載置部に載置される前記裸のディスクのなす面に対して、前記カートリッジ型ディスクが傾くようにこれを支持することを特徴とする請求項１に記載のディスク駆動装置。
【発明の詳細な説明】
【技術分野】
【０００１】
本発明は、カートリッジ型のディスクを装着可能なディスク駆動装置に関する。
【背景技術】
【０００２】
例えば、裸のディスクと、カートリッジ型ディスクとを両方駆動できるディスク駆動装置が開示されている。このディスク駆動装置は、裸のディスクを装着するための内トレイと、カートリッジ型ディスクを装着するための外トレイと、内トレイの外周部側面に設けられた複数の突起と、これら複数の突起が挿入されるように形成された係合孔と、内トレイを回転させるためのレバーと、を備えている。レバーを回転させると、内トレイは外トレイに対して回転する。このとき、複数の突起は、外トレイの係合孔を介して外トレイの下側にもぐりこむ。すなわち、レバーの回転により、内トレイの高さを調整することができる。
【０００３】
このディスク駆動装置において、内トレイに裸のディスクを装着する場合には、レバーを操作して内トレイを上昇させた状態で内トレイに裸のディスクを装着するようにする。一方、外トレイにカートリッジ型ディスクを装着する場合には、レバーを操作して内トレイを下降させ、カートリッジと干渉しないように内トレイを退避させる（例えば、特許文献１参照）。
【特許文献１】特開２００４−３１８９８０号公報
【発明の開示】
【発明が解決しようとする課題】
【０００４】
しかしながら、上記従来のディスク駆動装置では、トレイが内トレイと外トレイの２層構造になっているため、部品点数が増大し、構造が複雑化する問題があった。また、２層構造であるため、トレイの厚み寸法が増大し、ディスク駆動装置全体としても厚みが増大してしまう恐れがあった。また、レバーを介して手動で内トレイを昇降させるようになっているため、切り替えをユーザが忘れてしまうと、ディスクのチャッキングミスを生ずる恐れがあった。さらに、内トレイの高さの切り替え動作を自動化することも考えられるが、装着されたディスクの種類を検出するための機構が必須となり、構造が複雑化してしまう問題があった。
【０００５】
本発明の目的は、簡単な構造で種類の異なるディスクを搭載できるとともに、薄型に構成できるディスク駆動装置を提供することにある。
【課題を解決するための手段】
【０００６】
前記目的を達成するため、本発明の一つの形態に係るディスク駆動装置は、カートリッジ型ディスクおよび裸のディスクをそれぞれ載置可能なディスクトレイを含んだディスク駆動装置であって、本体と、前記本体に対して前方向および後方向に移動できるディスクトレイと、前記ディスクトレイに載置されるカートリッジ型ディスクと、前記カートリッジ型ディスクに対して、前記ディスクトレイを間に挟んだ反対側の位置で前記本体に設けられるとともに、前記カートリッジ型ディスクおよび前記裸のディスクを回転できるモータユニットと、を具備し、前記ディスクトレイは、前記カートリッジ型ディスクが載置される第１の載置部と、前記裸のディスクが載置される第２の載置部と、を有するとともに、前記第２の載置部は、前記第１の載置部よりも前記モータユニットに寄った位置に配置され、前記モータユニットは、前記カートリッジ型ディスクと係合する第１の位置と、前記第２の載置部に載置された前記裸のディスクから外れた第２の位置と、の間で進退可能であり、前記カートリッジ型ディスクは、前記カートリッジと、前記カートリッジに内蔵されるディスク本体と、を有し、前記ディスク本体は、前記カートリッジの高さ方向において前記モータユニットに寄った位置に配置される。
【発明の効果】
【０００７】
本発明によれば、簡単な構造で種類の異なるディスクを搭載できるとともに、薄型に構成できるディスク駆動装置を提供できる。
【発明を実施するための最良の形態】
【０００８】
以下に、図１から図１０を参照して、ディスク駆動装置の実施形態について、例えば、ＤＶＤ（Digital Versatile disk）駆動装置に適用した場合を例に説明する。このＤＶＤ駆動装置は、カートリッジ内にディスクが収容されたカートリッジ型ディスクと、周囲にカートリッジがない裸のディスクと、のいずれに対しても読み書きを行うことができるものである。
【０００９】
図１から図４に示すように、ＤＶＤ駆動装置１１は、本体１２と、カートリッジ型ディスク１３および裸のディスク１４をそれぞれ載置可能なディスクトレイ１５と、このディスクトレイ１５に載置されるカートリッジ型ディスク１３と、を備えている。図１において、紙面左下が前方向Ｆであり、紙面右上が後方向Ｒである。
【００１０】
本体１２は、金属性のシャーシ２１と、シャーシ２１の上側に搭載された樹脂製のフレーム２２と、フレーム２２の上側に被さるシャーシトップ２３と、シャーシ２１とフレーム２２との間に設けられた計４個のダンパ２４と、フレーム２２に対して昇降できるモータユニット２５と、モータユニット２５の昇降およびディスクトレイ１５の水平方向の移動を駆動するための駆動機構２６と、フレーム２２の前方に設けられたフロントパネル２７と、ディスクトレイ１５に搭載されたカートリッジ型ディスク１３を保持する一対のアーム２８と、ディスクトレイ１５の位置を検知するための図示しないセンサ機構と、を有している。
【００１１】
ダンパ２４は、シャーシ２１の４箇所の角部に対応する位置にそれぞれ設けられている。フレーム２２は、各ダンパ２４によって弾力的に支持されている。シャーシトップ２３は、図示しないクランパーと、図３に示すシャッターガイド３１と、を有している。クランパーは、モータユニット２５のディスクモータ３４に対してカートリッジ型ディスク１３および裸のディスク１４を押さえつけることができる。
【００１２】
モータユニット２５は、カートリッジ型ディスク１３に対して、ディスクトレイ１５を間に挟んだ反対側の位置で、本体１２に設けられている。つまり、ディスクトレイ１５は、カートリッジ型ディスク１３と、モータユニット２５との間の位置に配置される。
【００１３】
モータユニット２５は、ディスクトレイ１５に搭載されたカートリッジ型ディスク１３および裸のディスク１４のいずれも回転させることができる。図１と図９に示すように、モータユニット２５は、トラバースシャーシ３２と、トラバースシャーシ３２の一端に設けられた軸部３３と、トラバースシャーシ３２の上側に搭載されたディスクモータ３４および光ピックアップユニット３５と、を有している。図９の紙面右側に示すように、トラバースシャーシ３２は、軸部３３を中心に回転して、上昇したり下降したりすることができる。
【００１４】
ディスクモータ３４は、カートリッジ型ディスク１３および裸のディスク１４を支持する支持部３６を有し、支持部３６を介してディスクトレイ１５に搭載されたカートリッジ型ディスク１３および裸のディスク１４を持ち上げて回転させることができる。モータユニット２５は、ディスクトレイ１５が本体１２の内部に収容された際に上昇して、カートリッジ型ディスク１３および裸のディスク１４に接触する。モータユニット２５は、シャーシトップ２３に設けられた図示しないクランパーとの間でカートリッジ型ディスク１３および裸のディスク１４を保持することができる。
【００１５】
図１に示すように、フロントパネル２７は、枠状のフロントベゼル４１と、フロントベゼル４１の中央に設けられた開口部４２と、開口部４２の内側に嵌る蓋体４３と、フロントベゼル４１と蓋体４３との間に設けられた図示しないねじりバネと、を有している。蓋体４３は、ねじりバネにより、常にフロントパネル２７の開口部４２を塞ぐように付勢されている。
【００１６】
蓋体４３は、長方形の板状の本体４８と、本体４８の下端に設けられた図示しない軸部と、を有している。蓋体４３は、軸部を中心に回転して、開口部４２に嵌ったり、開口部４２から外れたりすることができる。
【００１７】
図１と図２に示すように、ディスクトレイ１５は、本体１２に対して前方向および後方向に移動することができる。より具体的には、ディスクトレイ１５は、本体１２の内部に収容された図１に示す第１の状態Ｓ１と、本体１２から外部に露出した図２に示す第２の状態Ｓ２との間で移動することができる。このとき、ディスクトレイ１５は、開口部４２を通って、第１の状態Ｓ１と第２の状態Ｓ２の間で移動することができる。もっとも、ディスクトレイ１５は、第２の状態Ｓ２からさらに前方に移動することができ、これに対してカートリッジ型ディスク１３や裸のディスク１４を搭載したり、これからカートリッジ型ディスク１３や裸のディスク１４を取り外したりできる。
【００１８】
図１と図５に示すように、ディスクトレイ１５は、樹脂製のトレイ本体４０と、トレイ本体４０の中央部後方に設けられた切欠部４４と、カートリッジ型ディスク１３のシャッター６４を開閉するレバー４５と、シャッターガイド３１に沿ってレバー４５を操作するためのレバー用ローラ４６と、トレイ本体４０の後方に設けられたトレイ本体４０の下面に設けられるラックと、を備えている。レバー４５は、トレイ本体４０の上側に設けられている。ラックは、図示省略したが、駆動機構２６の図示しないピニオンに噛み合っている。駆動機構２６のピニオンおよびラックにより、ディスクトレイ１５は本体１２に対して前方向および後方向に移動することができる。
【００１９】
ディスクトレイ１５のトレイ本体４０は、カートリッジ型ディスク１３および裸のディスク１４のいずれも載置できるように、第１の載置部５１と第２の載置部５２とを有して構成されている。トレイ本体４０は、基準面５３と、基準面５３から突出して形成された第１の載置部５１と、基準面５３に対して窪んで形成された第２の載置部５２と、を有している。つまり第２の載置部５２は、第１の載置部５１よりも下側に形成されている。言い換えると、第２の載置部５２は、第１の載置部５１よりもモータユニット２５に寄った位置に配置されている。図３に示すように、第１の載置部５１には、カートリッジ型ディスク１３が載置される。図４に示すように、第２の載置部５２には、裸のディスク１４が載置される。
【００２０】
図４と図５に示すように、第２の載置部５２は、１２ｃｍの裸のディスクが載置される円形の第１の凹部５２Ａと、第１の凹部５２Ａよりもさらに窪んで形成され、８ｃｍの裸ディスク１４が載置される円形の第２の凹部５２Ｂと、を含んでいる。図５において、紙面手前側が前方向Ｆであり、紙面奥側が後方向Ｒである。図４に示すように、第２の載置部５２に載置された８ｃｍの裸ディスク１４は、ほぼ水平な方向に沿って配置されている。
【００２１】
第１の載置部５１は、トレイ本体４０の前方に一対に設けられた第１の載置台５１Ａと、トレイ本体４０の後方に一対に設けられた第２の載置台５１Ｂと、第１の載置台５１Ａおよび第２の載置台５１Ｂの周囲に形成される複数のリブ片５１Ｃと、を有している。複数のリブ片５１Ｃは、トレイ本体４０に対してカートリッジ型ディスク１３を位置決めすることができる。
【００２２】
第１の載置台５１Ａは、基準面５３に対して、例えば、０．１ｍｍから０．２ｍｍの高さＰで形成されている。また、第２の載置台５１Ｂは、基準面５３に対して、例えば、０．２５ｍｍから０．３５ｍｍの高さＱで形成されている。このため、第１の載置台５１Ａと、第２の載置台５１Ｂとの間の高さの差は、０．０５ｍｍから０．２５ｍｍになっている。このため、第１の載置部５１に載置されるカートリッジ型ディスク１３は、前方向に行くにつれて設置高さが低くなるように、前傾姿勢になっている。言い換えると、第１の載置部５１は、図４に示す第２の載置部５２に載置される裸のディスク１４のなす面に対して、カートリッジ型ディスク１３が傾くようにこれを支持している。
【００２３】
図３と図８に、カートリッジ型ディスク１３を示す。図８において、紙面左側が前方向Ｆであり、紙面右側が後方向Ｒである。カートリッジ型ディスク１３は、カートリッジ６１と、カートリッジ６１に内蔵されるディスク本体６２と、カートリッジ６１に設けられた開放部６３と、開放部６３を覆うシャッター６４と、ディスクモータ３４が通される貫通孔６５と、を有している。カートリッジ６１は、ディスクトレイ１５に搭載する際の接触部となる第１の壁部６１Ａと、第１の壁部６１Ａとは反対側の第２の壁部６１Ｂと、を有している。
【００２４】
ディスク本体６２は、カートリッジ型ディスク１３の高さ方向においてモータユニット２５に寄った位置に配置されている。より具体的には、ディスク本体６２は、カートリッジ型ディスク１３の高さ方向の中間位置Ｅよりも、第１の壁部６１Ａに寄った位置に配置されている。このため、ディスク本体６２と第１の壁部６１Ａとの間の隙間Ａは、ディスク本体６２と第２の壁部６１Ｂとの間の隙間Ｂよりも小さくなっている。
【００２５】
ここで、図９を参照して、参考例のＤＶＤ駆動装置７１と、本実施形態のＤＶＤ駆動装置１１の構成の違いについて説明する。参考例のＤＶＤ駆動装置７１を図９の紙面左側に示す。参考例のＤＶＤ駆動装置７１において、カートリッジ型ディスク７２のディスク本体７３は、カートリッジ型ディスク７２の高さ方向の中間位置に配置されている。このため、参考例のカートリッジ型ディスク７２のディスク本体７３は、本実施形態のカートリッジ型ディスク１３のディスク本体６２に対して、設置高さが高くなっている。これに対応して、参考例のＤＶＤ駆動装置７１では、参考例のディスク本体７３をチャッキングするため、ディスクモータ７５の高さＭ１が高くなっている。参考例のモータユニット７４は、ディスク本体７３と係合する第１の位置Ｐ１と、８ｃｍの裸のディスク１４から外れた第２の位置Ｐ２との間で、軸部７６を中心に進退（回動）することができる。モータユニット７４が第２の位置Ｐ２にある状態において、支持部３６と、８ｃｍの裸のディスク１４との間には、所定の隙間Ｓが設けられている。
【００２６】
図９の紙面右側に本実施形態のＤＶＤ駆動装置１１について示す。本実施形態のＤＶＤ駆動装置１１では、カートリッジ型ディスク１３のディスク本体６２は、参考例のものよりも、モータユニット２５に寄った位置に配置されている。このため、ディスク本体６２の設置高さが参考例のディスク本体７３よりも寸法Ｄの分だけ低くなっている。このため、ディスクモータ３４の高さＭ２も参考例のディスクモータ７５の高さＭ１に対して低くなっている。より具体的には、本実施形態のディスクモータ３４は、参考例のディスクモータ７５に比して、例えば、０．２ｍｍから０．４ｍｍ程度薄型に構成されている。
【００２７】
本実施形態のモータユニット２５は、第１の載置部５１に載置されたカートリッジ型ディスク１３のディスク本体６２と係合する第１の位置Ｐ１と、第２の載置部５２に載置された８ｃｍの裸のディスク１４から外れた第２の位置Ｐ２と、の間で進退することができる。モータユニット２５が第２の位置Ｐ２にある状態において、支持部３６と、８ｃｍの裸のディスク１４との間には、所定の隙間Ｓが設けられている。
【００２８】
本実施形態のモータユニット２５と、参考例のモータユニット７４と、をそれぞれ第２の位置Ｐ２にした状態において、モータユニットの下端の位置を比較すると、本実施形態のモータユニット２５の下端は、参考例のモータユニット７４の下端よりも寸法Ｔの分だけ上側に配置している。より具体的には、本実施形態のモータユニット２５の下端は、参考例のモータユニット７４の下端よりも、例えば、０．０５ｍｍから０．１ｍｍ程度、図５に示すディスクトレイ１５に近づいて配置されている。このため、モータユニット２５のストロークの距離も小さくなっている。
【００２９】
すなわち、本実施形態のＤＶＤ駆動装置１１は、ディスクモータ３４自体の厚さの低減と、モータユニット２５のストロークの見直しとによって、参考例のＤＶＤ駆動装置７１に比して、その厚み寸法が、例えば、０．２５ｍｍから０．５ｍｍ程度薄型に構成することができる。
【００３０】
続いて、図１０を参照して、ディスクトレイ１５の第１の載置部５１に載置されたカートリッジ型ディスク１３のディスク本体６２がディスクモータ３４とクランパーによってチャッキングされた状態について説明する。図１０において、紙面左側が前方向Ｆであり、紙面右側が後方向Ｒである。
【００３１】
第１の載置部５１に載置されたカートリッジ型ディスク１３は、前方向Ｆに行くにつれて設置高さが低くなるように傾いている。このカートリッジ型ディスク１３のディスク本体６２がディスクモータ３４によって支持されると、ディスク本体６２は、ほぼ水平方向に沿って配置するようになる。これにより、ディスク本体６２の下面とカートリッジ６１の第１の壁部６１Ａとの間の隙間Ｃ１、Ｃ２は、ディスク本体２をチャッキングする前の隙間Ａに比して、例えば、０．１ｍｍから０．２ｍｍ程度大きくなっている。このため、ディスク本体６２が回転される際にカートリッジ６１と接触することが防止される。
【００３２】
以上が、ＤＶＤ駆動装置１１の実施形態である。本実施形態によれば、ディスクトレイ１５は、カートリッジ型ディスク１３が載置される第１の載置部５１と、裸のディスク１４が載置される第２の載置部５２と、を有するとともに、第２の載置部５２は、第１の載置部５１よりもモータユニット２５に寄った位置に配置され、モータユニット２５は、第１の載置部５１に載置されたカートリッジ型ディスク１３と係合する第１の位置Ｐ１と、第２の載置部５２に載置された裸のディスク１４から外れた第２の位置Ｐ２と、の間で進退可能であり、カートリッジ型ディスク１３は、カートリッジ６１と、カートリッジ６１に内蔵されるディスク本体６２と、を有し、ディスク本体６２は、カートリッジ６１の高さ方向においてモータユニット２５に寄った位置に配置される。
【００３３】
この構成によれば、第１の載置部５１に載置されたカートリッジ型ディスク１３のディスク本体６２を、第２の載置部５２に載置される裸のディスク１４の設置位置に近づけて配置することができる。これにより、ディスクモータ３４を薄く構成して、ＤＶＤ駆動装置１１を薄型化することができる。また、ディスクモータ３４が薄型化されれば、参考例に比して、第２の位置Ｐ２にあるモータユニット２５の下端をディスクトレイ１５に近づけて配置することができる。これによっても、ＤＶＤ駆動装置１１を薄型化することができる。また、ディスクトレイ１５がいわゆる１層の構造で構成されるため、構造の簡略化を図ることができる。さらに、カートリッジ型ディスク１３のディスク本体６２が第２の載置部５２に載置される裸のディスク１４の設置位置に近づけば、チャッキングミスを生ずる確率を低減できる。
【００３４】
この場合、第１の載置部５１は、第２の載置部５２に載置される裸のディスク１４のなす面に対して、カートリッジ型ディスク１３が傾くようにこれを支持する。この構成によれば、上記のようにディスク本体６２をモータユニット２５に寄った位置に配置した場合であっても、回転中のディスク本体６２がカートリッジ６１に接触してしまう等の不具合を生ずることを防止することができる。
【００３５】
本発明のディスク駆動装置は、ＤＶＤ駆動装置用に限らず、例えばＣＤ（Compact Disk）駆動装置のようなその他の電子機器に対しても実施可能である。また、ディスク駆動装置の一例として、横置きのＤＶＤ駆動装置を開示したが、縦置きのＤＶＤ駆動装置にも適用できることは勿論である。さらに、本実施形態では、第１の載置部は、前方向に行くにつれて、設置高さが低くなるようにカートリッジ型ディスクを支持するようにしているが、これに限定されるものではない。第１の載置部は、後方向に行くにつれて、設置高さが低くなるようにカートリッジ型ディスクを支持するようにしてもよい。その他、ディスク駆動装置は、発明の要旨を逸脱しない範囲で種々変形して実施できることはいうまでもない。
【図面の簡単な説明】
【００３６】
【図１】実施形態に係るＤＶＤ駆動装置を示す斜視図。
【図２】図１に示すＤＶＤ駆動装置のディスクトレイが第２の状態にあるときを示す斜視図。
【図３】図１に示すＤＶＤ駆動装置のディスクトレイにカートリッジ型ディスクを搭載した状態を示す斜視図。
【図４】図１に示すＤＶＤ駆動装置のディスクトレイに裸のディスクを搭載した状態を示す斜視図。
【図５】図１に示すＤＶＤ駆動装置のディスクトレイを示す斜視図。
【図６】図５に示すディスクトレイの第１の載置部の第１の載置台を示す断面図。
【図７】図５に示すディスクトレイの第１の載置部の第２の載置台を示す断面図。
【図８】図３に示すカートリッジ型ディスクの縦方向に沿った断面図。
【図９】実施形態に係るＤＶＤ駆動装置の厚み寸法と、参考例のＤＶＤ駆動装置の厚み寸法とを比較した模式図。
【図１０】図８に示すカートリッジ型ディスクがディスクトレイに搭載された状態で、ディスク本体がモータユニットに保持された状態を示す断面図。
【符号の説明】
【００３７】
１１…ＤＶＤ駆動装置、１２…本体、１３…カートリッジ型ディスク、１４…裸のディスク、１５…ディスクトレイ、２５…モータユニット、５１…第１の載置部、５２…第２の載置部、６１…カートリッジ、６２…ディスク本体、Ｐ１…第１の位置、Ｐ２…第２の位置
【図１】
2008243334.tif 000003
【図２】
2008243334.tif 000004
【図３】
2008243334.tif 000005
【図４】
2008243334.tif 000006
【図５】
2008243334.tif 000007
【図６】
2008243334.tif 000008
【図７】
2008243334.tif 000009
【図８】
2008243334.tif 000010
【図９】
2008243334.tif 000011
【図１０】
2008243334.tif 000012